(57)【特許請求の範囲】
【請求項１】
所定空間からなるゲームフィールドと、
上記ゲームフィールドの周縁部または内部において立ち上がる１または２以上の縦壁と、
上記ゲームフィールド内において上記縦壁に取り付けられており、景品を載置するための１または２以上の景品載置部材と、
上記ゲームフィールド内に設けられる景品落下口と、
上記ゲームフィールド内において、景品を上記景品落下口へと移動させるための景品移動手段と、を備えた景品獲得ゲーム機であって、
上記縦壁に対する上記景品載置部材の取付位置を変更可能な取付位置調整手段を備え、
上記取付位置調整手段は、上記縦壁に対してその異なる位置に取付可能な取付具を含んで構成されており、
上記景品載置部材は、上記取付具を介して上記縦壁に取り付けられており、
上記縦壁は、上記縦壁における異なる位置において厚さ方向に形成された複数の被係止部が形成されており、
上記取付具は、上記被係止部に挿入して係止することにより上記縦壁に対して着脱可能に取り付けられる係止片を備え、
上記取付具は、上記係止片が係止される上記被係止部とは高さ方向の異なる位置にある上記被係止部に挿入される状態において上記縦壁に対して固定可能な固定部を備えることを特徴とする、景品獲得ゲーム機。
【請求項２】
上記複数の被係止部は、上記縦壁において、高さ方向または水平方向の少なくともいずれか一方に対して平行に配列されている、請求項１に記載の景品獲得ゲーム機。
【請求項３】
上記複数の被係止部は、上記縦壁において、高さ方向および水平方向のそれぞれについて所定ピッチでマトリックス状に配列されている、請求項２に記載の景品獲得ゲーム機。
【請求項４】
上記景品載置部材は棒状部材からなる、請求項１ないし３のいずれかに記載の景品獲得ゲーム機。
【発明の詳細な説明】
【技術分野】
【０００１】
本発明は、景品獲得ゲーム機に関する。
【背景技術】
【０００２】
ゲームセンタなどに設置される景品獲得ゲーム機は、一般に、遊技者がボタンを操作して景品移動手段を動作させることにより、所定空間からなるゲームフィールドに配されている景品を取り出すように構成されている。実際のゲームの進行においては、景品移動手段によって景品が景品落下口の真上まで運ばれると、当該景品を遊技者が獲得することができるようになっている。
【０００３】
かかる景品獲得ゲーム機においては、景品を獲得し易いゲーム機であると印象付けて遊技者を引き付けるためには、たとえば多量の景品をゲームフィールド内に積み上げておく必要がある。しかし、これでは景品購入コストが相当に嵩むことになり、店舗運営者にとっては不都合である。
【０００４】
このような不都合に対し、従来、ゲームフィールド内に景品を載置するための階段状の景品棚を設置するなどの工夫がなされる場合がある。景品棚は、たとえば大きさの異なる複数の棚板が脚を介して積層配置されたものであり、景品の大きさや形状に適合するように階段状部分の寸法が設定されている。このような景品棚を採用することにより、比較的に少ない数量の景品を準備するだけで、当該景品をあたかも積み上げたようにディスプレイすることができる。
【０００５】
その一方、ゲームフィールド内に投入する景品としては、たとえば大小種々のぬいぐるみや箱入菓子などの、大きさや形状の異なる様々のものがある。既に投入されている景品から他の種類の景品に変更しようとする場合、既設の景品棚では、階段状部分の寸法が景品の大きさや形状に適合せずに上手く景品をディスプレイすることができない事態が生じ得た。
【０００６】
【特許文献１】特開平９−１６４２６４号公報
【発明の開示】
【発明が解決しようとする課題】
【０００７】
本発明は、このような事情のもとで考え出されたものであって、大きさや形状の異なる様々な種類の景品に対応させて、各種景品を効率よくディスプレイすることができる景品獲得ゲーム機を提供することを課題としている。
【課題を解決するための手段】
【０００８】
上記の課題を解決するため、本発明では、次の技術的手段を採用した。
【０００９】
本発明によって提供されるゲーム機は、所定空間からなるゲームフィールドと、上記ゲームフィールドの周縁部または内部において立ち上がる１または２以上の縦壁と、上記ゲームフィールド内において上記縦壁に取り付けられており、景品を載置するための１または２以上の景品載置部材と、上記ゲームフィールド内に設けられる景品落下口と、上記ゲームフィールド内において、景品を上記景品落下口へと移動させるための景品移動手段と、を備えた景品獲得ゲーム機であって、上記縦壁に対する上記景品載置部材の取付位置を変更可能な取付位置調整手段を備え、上記取付位置調整手段は、上記縦壁に対してその異なる位置に取付可能な取付具を含んで構成されており、上記景品載置部材は、上記取付具を介して上記縦壁に取り付けられており、上記縦壁は、上記縦壁における異なる位置において厚さ方向に形成された複数の被係止部が形成されており、上記取付具は、上記被係止部に挿入して係止することにより上記縦壁に対して着脱可能に取り付けられる係止片を備え、上記取付具は、上記係止片が係止される上記被係止部とは高さ方向の異なる位置にある上記被係止部に挿入される状態において上記縦壁に対して固定可能な固定部を備えることを特徴としている。
【００１０】
このような構成の景品獲得ゲーム機によれば、ゲームフィールドに配される景品の大きさや形状に応じて、景品載置部材の位置を取付位置調整手段によって変更することが可能である。これにより、たとえば既にゲームフィールド内に配されている景品から、大きさや形状の異なる他の種類の景品に入れ替える場合においても、当該景品に適合するように景品載置部材の位置を調整することができる。したがって、大きさや形状の異なる様々な種類の景品について、比較的に少ない数量の各種景品を効率よくディスプレイすることができる。
【００１２】
上記構成によれば、景品載置部材の位置調整は、縦壁に対する取付具の位置を変更することによって、適確に行うことができる。また、縦壁の被係止部に取付具の係止片を挿入するといった簡単な操作により、取付具を高さ方向の異なる位置に取付けることができる。取付具は、その取付時において、固定部によって縦壁に対して適確に固定される。
【００１３】
好ましい実施の形態においては、上記景品載置部材は、１または２以上の棚板によって構成されている。
【００１４】
このような構成によれば、景品を適確に景品載置部材上に載置することができる。
【００１５】
好ましい実施の形態においては、上記棚板は、上記縦壁に対して水平方向の異なる２箇所以上の位置において橋渡し状に取付けられる。
【００１６】
このような構成によれば、棚板を水平姿勢に保つことができる。
【００２１】
好ましい実施の形態においては、上記景品載置部材は、上記取付具に着脱可能に固定される。
【００２２】
このような構成によれば、取付具に対する棚板の取付状態が安定する。
【００２３】
好ましい実施の形態においては、上記景品落下口は、その上端高さを調整可能とされている。
【００２４】
このような構成によれば、景品載置部材の高さ調整に対応させて、景品落下口の高さを調整することができる。
【００２５】
好ましい実施の形態においては、上記取付位置調整手段は、上記縦壁に対する上記景品載置部材の高さ方向の取付位置と水平方向の取付位置とを調整可能である。
【００２６】
このような構成によれば、景品載置部材をバリエーションに富んだレイアウトに配置することができる。
【００２７】
本発明のその他の特徴および利点は、添付図面を参照して以下に行う詳細な説明によって、より明らかとなろう。
【発明を実施するための最良の形態】
【００２８】
以下、本発明に係るゲーム機の好ましい実施形態につき、図面を参照しつつ具体的に説明する。
【００２９】
図１〜図５は、本発明に係る景品獲得ゲーム機の一実施形態を示している。図１によく表われているように、本実施形態の景品獲得ゲーム機Ａは、下部筐体１０上に透明筒状のショーケース１１が載設され、かつこのショーケース１１上に上部カバー１２が設けられた構成を有している。ショーケース１１によって囲まれた内部空間には、４つのゲームフィールドＧＦが設けられている。
【００３０】
ショーケース１１の内部空間は、直立した複数の縦壁１３（本実施形態では８枚）によって略４等分に区切られており、当該区切られた各空間が各ゲームフィールドＧＦとなっている。より詳細には、図１および図２に表れているように、各縦壁１３は、たとえば一様な厚さを有する透明アクリル板からなり、下部筐体１０の上部に設けられた床板１０１に対して図示しない固定部材を介して立ち上がるように設けられている。交差する２枚の縦壁１３と、これを囲むショーケース１１の一部によってゲームフィールドＧＦの周縁部が規定されている。
【００３１】
下部筐体１０の外周面部には、ゲームフィールドＧＦに対応して複数の操作パネル部１４が等間隔で設けられており、それらの操作パネル部１４と同数の複数人（たとえば４人）が同時にゲームを行なうことができるようになっている。各操作パネル部１４には、後述する景品移動手段４を操作するためのボタン１４Ａや、コイン投入口１４Ｂが設けられている。操作パネル部１４の下方には、景品を払い出すための景品払出口１４Ｃが設けられている。
【００３２】
ゲームフィールドＧＦには、複数の棚板２と、景品落下口３と、景品移動手段４とが設けられている。複数の棚板２は、景品（図示せず）を載置するためのものであり、本発明でいう景品載置部材の一例である。各棚板２は、たとえば一様な厚さを有する透明アクリル板からなり、取付具２１を介して縦壁１３に取付けられている。本実施形態においては、縦壁１３には、厚さ方向に貫通する複数の開口１３ａが形成されている。当該複数の開口１３ａは、それぞれ同一サイズの円形状とされており、水平方向および高さ方向のそれぞれについて所定ピッチでマトリックス状に配列されている。
【００３３】
図３および図４に表れているように、取付具２１は、係止片２１１、縦壁固定部２１２、および棚板固定部２１３を有している。係止片２１１は、側面視Ｌ字形状とされており、取付具２１の上部に設けられている。この係止片２１１を開口１３ａに挿通することにより、取付具２１は、縦壁１３に対して着脱可能に取り付けられる。縦壁固定部２１２は、上記係止片２１１が挿通される開口１３ａとは高さ方向の異なる下方位置にある開口１３ａに芯部材２１２Ａおよび拡径部材２１２Ｂを挿入して芯部材２１２Ａを押し込むと、拡径部材２１２Ｂの先端寄りが半径方向外方に変位した状態で芯部材２１２Ａと係合し、拡径部材２１２Ｂの開口１３ａからの抜け出しが防止されるように構成されている。かかる構成によって、取付具２１は縦壁１３に対して固定可能とされている。棚板固定部２１３は、水平方向に突出形成された棚板載置片２１３ａの上に棚板２の端部を載せ、２つの押ネジ２１３Ｂを締め付けることによって当該押ネジ２１３Ｂと棚板載置片２１３ａとの間に棚板２を挟んで固定するように構成されている。
【００３４】
図２に表れているように、各棚板２を取付けるための取付具２１は、高さ方向については同じレベルで、かつ水平方向については異なる２箇所以上の位置に取付けられている。本実施形態においては、交差する２枚の縦壁１３のそれぞれに対し、同じ高さレベルにおいて取付具２１が１つずつ装着されており、各棚板２は、取付具２１の取付位置を変更することにより、縦壁１３に対する取付位置が変更可能とされている。このようにして、棚板２は、縦壁１３に対する取付位置の調整が可能となっており、縦壁１３の複数の開口１３ａ、および取付具２１は、本発明でいう取付位置調整手段の役割を担う。
【００３５】
複数の棚板２は、それぞれ異なるサイズとされており、上位に位置する棚板２ほど、その平面サイズが小さくなっている。これにより、複数の棚板２は階段状に配置されている。そして、ゲームフィールドＧＦ内に投入する景品の大きさや形状に応じて、各棚板２の取付位置を適宜選択することにより、棚板２相互の間隔を調整することができる。また、図２においては６枚の棚板２を配置しているが、これより少ない枚数、あるいは多い枚数の棚板２を配置してもよい。なお、棚板２とその直下の棚板２あるいは床板１０１との間には、必要に応じて円筒状のスペーサ２２が介装させられる。
【００３６】
景品落下口３は、ゲームフィールドＧＦから景品払出口１４Ｃへと景品を落下させるためのものであり、図１に表れているように、ショーケース１１の近傍で、かつ一方の縦壁１３寄りに位置している。景品落下口３は、図５によく表れているように、高さ方向に沿って着脱可能に連結された複数（本実施形態では３つ）の円筒状部材３１，３２，３３を含んで構成されており、大きさや形状の異なる種々の景品が通過しうるように、比較的にその内径寸法が大きくされている。
【００３７】
最下段に位置する円筒状部材３１は、床板１０１に対して固定されている。詳細には、円筒状部材３１の外周にフランジ部３１ａが形成されており、円筒状部材３１は、床板１０１に形成された孔１０１ａに臨む姿勢で、フランジ部３１ａおよび床板１０１をたとえばボルトを用いた締結手段によって締結することにより、床板１０１に固定されている。円筒状部材３１の上部には、複数（本実施形態では４つ）の貫通孔３１ｂが高さ方向に沿って一定間隔で形成されている。
【００３８】
中段に位置する円筒状部材３２は、円筒状部材３１に対して内挿可能とされている。円筒状部材３２の下部寄りの内面には、最下段の円筒状部材３１との連結用の複数（本実施形態では２つ）のナット３２Ａが高さ方向において所定の間隔を隔てて設けられており、円筒状部材３２の上部寄りの内面には、最上段に位置する円筒状部材３３との連結用の複数（本実施形態では２つ）のナット３２Ｂが高さ方向において所定の間隔を隔てて設けられている。円筒状部材３１と円筒状部材３２との連結は、たとえば、高さ方向に並ぶ４つの貫通孔３１ｂのいずれかと、２つのナット３２Ａのいずれかとを選択し、当該貫通孔３１ｂおよびナット３２Ａにボルト３４を共通に挿通することにより行う。ここで、貫通孔３１ｂおよびナット３２Ａの選択の組み合わせにより、円筒状部材３１，３２の内外方向の重合部分の長さＬ１を８通りに変更することが可能である。これにより、本実施形態では、円筒状部材３２の上端高さは８段階に微調整可能となっている。
【００３９】
最上段の円筒状部材３３は、円筒状部材３２に対して外挿可能とされている。円筒状部材３３の下部には、複数（本実施形態では２つ）の貫通孔３３ａが高さ方向において間隔を隔てて形成されている。円筒状部材３３と円筒状部材３２との連結は、たとえば、円筒状部材３３の２つの貫通孔３３ａのいずれかと円筒状部材３２の２つのナット３２Ｂのいずれかとを選択し、当該貫通孔３３ａおよびナット３２Ｂにボルト３５を共通に挿通することにより行う。ここで、貫通孔３３ａおよびナット３２Ｂの選択の組み合わせにより、円筒状部材３２，３３の内外方向の重合部分の長さＬ２を４通りに変更することが可能である。これにより、本実施形態では、円筒状部材３３の上端高さは４段階に微調整可能となっている。このような構成により、景品落下口３は、その上端高さが調整可能となっている。
【００４０】
景品移動手段４は、景品を把持して景品落下口３へと移動させるためのものであり、回動機構４１と、直線移動機構４２と、直線レール４３に支持された景品把持部４４とを含んで構成されている。回動機構４１は、直線レール４３を水平面内で往復回動させるためのものである。直線レール４３は、その一端部が上部カバー１２の中央付近に設けられた回動軸１２１を中心として回動可能とされる一方、他端部に設けられたローラ４３Ａが上部カバー１２の周縁付近に設けられた円弧レール１２２上を走行するようになっている。かかる構成の回動機構４１は、図示しない駆動モータによって駆動させられる。直線移動機構４２は、景品把持部４４を直線レール４３の長手方向に沿って直線移動させるためのものであり、直線レール４３の長手方向にスライド移動可能なスライド部材４２１を備えている。スライド部材４２１の内部には、図示しないワイヤが巻回されており、景品把持部４４は、当該ワイヤに吊り下げられている。スライド部材４２１の内部にはまた、上記ワイヤの送り出しおよび巻き上げを行うためのモータが設けられている。スライド部材４２１は、たとえば、図示しないモータによってプーリ、ベルトを介して駆動させられる。景品把持部４４は、景品を把持するための開閉可能な把持爪４４１を有しており、景品把持部４４の内部には、把持爪４４１を開閉させるためのモータが設けられている。景品把持部４４は、ゲームを実行していない時には、景品落下口３の真上に待機している。
【００４１】
回動機構４１および直線移動機構４２は、操作パネル部１４のボタン１４Ａの操作に応じて動作するようになっている。ゲームを実行する際には、遊技者が任意のタイミングでボタン１４Ａを操作することにより、直線レール４３が往復回動する範囲において景品把持部４４（スライド部材４２１）を所望の位置（たとえば狙いを定めた景品の真上）まで移動させることができる。そして、当該位置において、スライド部材４２１内のワイヤを送り出すことにより景品把持部４４を降下させる。このとき、把持爪４４１は開いた状態となっている。そして、景品把持部４４が景品、あるいは棚板２や床板１０１に到達すると、把持爪４４１を閉じる。把持爪４４１を閉じる動作は、たとえばスライド部材４２１に内蔵されたセンサによって上記ワイヤの緩みを検知することにより開始される。次いで、上記ワイヤを巻き上げるとともに、回動機構４１および直線移動機構４２を動作させて、景品把持部４４を待機位置に戻す。次いで、把持爪４４１を開く。このとき、把持爪４４１に景品が把持されていれば、遊技者は、景品落下口３を通過した当該景品を獲得することができる。
【００４２】
本実施形態の景品獲得ゲーム機Ａにおいては、縦壁１３に対して棚板２（景品載置部材）が取付けられており、当該棚板２は、高さ方向の位置を変更可能とされている。これにより、たとえば、既にゲームフィールドＧＦに配されている景品から、大きさや形状の異なる他の種類の景品に入れ替える場合においても、当該景品に適合するように棚板２の高さを調整することができる。したがって、大きさや形状の異なる様々な種類の景品について、比較的に少ない数量の各種景品を効率よくディスプレイすることができる。また、棚板２を縦壁１３に対して取り付ける構成とされているので、棚板２の高さ調整を比較的に簡単な構造とすることができる。
【００４３】
本実施形態において、棚板２は取付具２１を介して縦壁１３に取り付けられているため、各棚板２の高さ調整は、縦壁１３に対する取付具２１の高さ位置を変更することによって、適確に行うことができる。また、棚板２は、縦壁１３に対し、取付具２１を介して水平方向の異なる２箇所以上の位置において橋渡し状に取付けられることにより、水平姿勢に保たれる。
【００４４】
取付具２１は、係止片２１１を縦壁１３の開口１３ａに挿通するといった簡単な操作により、高さ方向の異なる位置にあるいずれの開口１３ａにも取付けることができる。また、取付具２１は、縦壁固定部２１２によって縦壁１３に対して確実に固定される。また、取付具２１に取り付けられる棚板２は、各取付具２１に設けられた棚板固定部２１３によって着脱可能に固定される。かかる構成により、棚板２は、取付具２１を介して縦壁１３に一体的に取付けられており、たとえばゲーム機Ａに多少の振動が加わっても、縦壁１３に対する棚板２の取付位置がずれるといった不都合が生じることはない。
【００４５】
本実施形態では、景品落下口３は、その上端高さが調整可能となっている。図５においては、３つの円筒状部材３１，３２，３３を連結した構成を示すが、これに代えて、最下段の円筒状部材３１のみを使用する態様や、最下段及び中段の円筒状部材３１，３２を使用する態様を採用することができる。このように円筒状部材の使用数を変更することにより、景品落下口３の上端高さを大まかに調整することができる。また、上述したように、円筒状部材３１，３２の重合部分の長さＬ１、あるいは円筒状部材３２，３３の重合部分の長さＬ２を変更することにより、景品落下口３の上端高さについてきめ細かな調整が可能である。したがって、景品落下口３の上端高さについては、棚板２の高さ調整に対応させて、適切に調整することができる。
【００４６】
以上、本発明の実施形態を説明したが、本発明の技術的範囲は上記した実施形態に限定されるものではない。本発明に係る景品獲得ゲーム機の各部の具体的な構成は、発明の思想から逸脱しない範囲内で種々な変更が可能である。
【００４７】
本発明の景品獲得ゲーム機においては、景品移動手段は、上記実施形態のような景品を把持するタイプのものに限定されず、たとえば、棒状部材または鉤状部材で景品を引っ掛けるタイプ、あるいは、ショベル状または板状部材で景品を掬い上げるタイプなどの、種々なタイプのものを採用することができる。
【００４８】
上記実施形態において、ゲームフィールドＧＦは、円筒状のショーケース１１の内側を分割した平面視扇形とされているが、これに限定されるものではなく、たとえば平面視矩形とすることができる。平面視矩形の場合には、たとえば対向する一対の縦壁に対して棚板（景品載置部材）を取り付ければよく、取付具については、各縦壁に対して２箇所以上に取り付けてもよい。また、この場合、景品移動手段としては、２軸の直線移動機構を備える構成を採用すればよい。
【００４９】
縦壁については、ゲームフィールドの周縁部に配置される構成に代えて、ゲームフィールドの内部に配置される構成としてもよい。この場合、ゲームフィールドは、たとえばショーケースによって囲まれた領域によって周縁部が規定される。
【００５０】
景品載置部材の高さ調整の具体的な手段について、上記実施形態と異なる構成を採用してもよい。たとえば縦壁に形成される開口としては、水平方向あるいは高さ方向に沿って延びる長孔であってもよい。高さ方向に延びる長孔からなる開口の場合、当該長孔に対する取付具の取付位置を高さ方向にスライド調整可能としてもよい。
【００５１】
縦壁の構成としては、上記実施形態のような開口が形成されたものに代えて、たとえば格子状からなるものとしてもよい。この場合、取付具はフック状のものであってもよい。
【００５２】
景品載置部材としては、棚板に代えて、たとえば棒状部材を採用してもよい。この場合、縦壁の開口に対する棒状部材の取付位置を変更することにより、棒状部材の高さ方向や水平方向（奥行き方向）の取付位置を調整するように構成すればよい。これにより、景品載置部材をバリエーションに富んだレイアウトに配置することが可能となる。
【図面の簡単な説明】
【００５３】
【図１】本発明に係る景品獲得ゲーム機の一実施形態の全体外観図である。
【図２】ゲームフィールドの概略要部斜視図である。
【図３】景品載置部材の取付状態を説明するための要部拡大正面図である。
【図４】図３のＩＶ−ＩＶ線に沿う部分断面図である。
【図５】景品落下口の縦断面図である。
【符号の説明】
【００５４】
Ａ        景品獲得ゲーム機
ＧＦ      ゲームフィールド
２        棚板（景品載置部材）
３        景品落下口
４        景品移動手段
１３      縦壁
１３ａ    開口
２１      取付具
２１１    係止片
２１２    縦壁固定部（固定部）
【図１】
0005160922.tif 000002
【図２】
0005160922.tif 000003
【図３】
0005160922.tif 000004
【図４】
0005160922.tif 000005
【図５】
0005160922.tif 000006